(57)【要約】      （修正有）【課題】カーペットタイルの施工工事から使用済みのカーペットタイルの廃棄処理までの一連の工程を含み、効率的なカーペットタイル搬送装置及びカーペットタイル搬送システムを提供する。【解決手段】台車２の貨物搭載面３に着脱自在に係合しうるカーペットタイル収納ケース４からなるカーペットタイル搬送装置であって、台車２の貨物搭載面３には、カーペットタイル収納ケース４を着脱自在に係合保持する係合保持部材５が設けられており、カーペットタイル収納ケース４は、カーペットタイル１１に近似した形状寸法を有する底板部６と、底板部６の連続する２辺６１、６２のそれぞれから底板部６の第１の表面７から立設されている第１の側壁部４１と第２の側壁部４２とから構成されると共に、底板部６の第２の表面８には、台車２の貨物搭載面３に設けられている係合保持部材５と着脱自在に係合する係合具９が設けられているカーペットタイル搬送装置。【選択図】図１
2010042772.tif 000002
【特許請求の範囲】
【請求項１】
キャスター付き台車、及び当該台車の貨物搭載面に着脱自在に係合しうるカーペットタイル収納ケースとからなるカーペットタイル搬送装置であって、当該台車の少なくとも一部と当該カーペットタイル収納ケースの少なくとも一部には、当該台車と当該カーペットタイル収納ケースとが相互に着脱自在に係合しうる係合保持部材がそれぞれ設けられており、当該カーペットタイル収納ケースは、少なくともカーペットタイルの形状と寸法を有する矩形の底板部と、当該底板部の周縁部に於ける連続する２辺のそれぞれから当該底板部の当該台車と接触する表面とは異なる表面から略垂直に立設されている所定の高さを有する第１の側壁部と第２の側壁部とから構成されると共に、当該底板部の周縁部に於けるその他の連続する２辺には、側壁部が設けられていない事を特徴とするカーペットタイル搬送装置
【請求項２】
当該第１と第２の側壁部は、それぞれが折畳み自在となる様に構成されている事を特徴とする請求項１に記載のカーペットタイル搬送装置。
【請求項３】
請求項１又は２に記載された当該カーペットタイル搬送装置は、当該カーペットタイル収納ケースに未使用の或は使用済みの当該カーペットタイルが収納されているか否かに係らず、少なくとも、当該カーペットタイル搬送装置が、タイルカーペットの張替え工事が実行される内装工事現場に搬入されてから当該内装工事現場を離れる迄の間は、当該台車と当該カーペットタイル収納ケースとが一体化された状態を維持したままで移動する様に構成されている事を特徴とするカーペットタイル搬送システム。
【請求項４】
請求項１又は２に記載された当該カーペットタイル搬送装置の搬送システムであって、当該システムは、少なくとも、複数個の当該台車と複数個の当該カーペットタイル収納ケースとが予め保管されているカーペットタイル搬送装置保管管理センター部、当該カーペットタイルの製造業者或いは未使用の当該カーペットタイルを保管している倉庫業者、当該カーペットタイルの張替え工事を行う内装工事現場、当該使用済みカーペットタイルを産業廃棄物として処理する産業廃棄物処理現場とから構成されているカーペットタイル搬送システムであって、当該カーペットタイル搬送システムは、少なくとも当該タイルカーペット搬送装置保管管理センター部から当該カーペットタイルの製造業者或いは当該倉庫業者に至る第１の経路、当該カーペットタイルの製造業者或いは当該倉庫業者から当該内装工事現場に至る第２の経路、当該内装工事現場から当該産業廃棄物処理業者に至る第３の経路、当該産業廃棄物処理業者から当該カーペットタイル搬送装置保管管理センター部に至る第４の経路及び当該カーペットタイル搬送装置保管管理センター部から当該内装工事現場に至る第５の経路とを含み、且つ当該カーペットタイル搬送装置を搭載して当該第1乃至第４の経路を順次に巡回する第１の搬送手段と当該カーペットタイル搬送装置を搭載して当該第５の経路を往復する第２の搬送手段が使用される事を特徴とするカーペットタイル搬送システム。
【請求項５】
当該第１と第２の搬送手段は搭載貨物の載積容量が互いに異なる様に選択される事を特徴とする請求項４に記載のカーペットタイル搬送システム。
【請求項６】
当該第１乃至第５の経路を移動する当該カーペットタイル搬送装置は、当該台車と当該カーペットタイル収納ケースとが分離した状態或は当該台車と当該カーペットタイル収納ケースとが一体化された状態の何れかにある事を特徴とする請求項４又は５に記載のカーペットタイル搬送システム。
【請求項７】
当該台車と当該カーペットタイル収納ケースとが相互に分離された状態で、当該第２の経路及び当該第５の経路を介して当該内装工事現場に搬送された当該カーペットタイル搬送装置は、当該内装工事現場の近傍或は当該内装工事現場の入り口部に於いて、当該台車と当該カーペットタイル収納ケースとを係合させて一体化する事を特徴とする請求項３乃至６の何れかに記載のカーペットタイル搬送システム。
【請求項８】
複数個の当該台車と複数個の当該カーペットタイル収納ケースとが、当該カーペットタイル搬送装置保管管理センター部に保管されており、適宜のカーペットタイル搬送システム制御部に於いて、受注したタイルカーペット張替え工事が実行される内装工事現場情報に基づいて床面から引き剥がす使用済みカーペットタイルの廃棄数量或いは未使用カーペットタイルの必要使用数量に関する情報が算出され、当該算出された当該使用済みカーペットタイルの廃棄数量或いは未使用カーペットタイルの必要使用数量に応答して、未使用カーペットタイルの必要使用数量が算出され、当該使用済みカーペットタイルの廃棄数量若しくは当該未使用カーペットタイルの必要使用数量に対応する当該台車と当該カーペットタイル収納ケースのそれぞれの必要数量が演算により決定され、当該決定された必要数量の当該台車と当該カーペットタイル収納ケースとが当該カーペットタイル搬送装置保管管理センター部から抽出され、当該必要数量に対応する数の当該台車と当該カーペットタイル収納ケースを相互に係合せしめて一体化するか、一体化することなしに、当該第２の搬送手段で当該内装工事現場に搬送して、当該内装工事現場に於いて当該台車と当該カーペットタイル収納ケースを係合せしめて一体化したカーペットタイル搬送装置を形成した後、当該カーペットタイル搬送装置を当該内装工事現場の当該使用済みカーペットタイルの引き剥がし作業現場に近接させた状態で移動させながら、所定の床面から引き剥がした当該使用済みカーペットタイルが順次当該カーペットタイル搬送装置の当該カーペットタイル収納ケース内に所定の数量ずつ積み込まれる操作が実行され、その後、当該カーペットタイル収納ケース内に当該使用済みカーペットタイルを積層内蔵させた当該カーペットタイル搬送装置は、当該第２の搬送手段とは異なる第１の搬送手段に搭載されて、当該使用済みカーペットタイルの産業廃棄物処理業者まで搬送される様に構成されと共に、当該第１の搬送手段が当該内装工事現場に搬送してきた当該台車と当該内装工事現場で未使用のカーペットタイルを積み降ろして空になった当該カーペットタイル収納ケースとが当該第２の搬送手段に積載されて当該カーペットタイル搬送装置保管管理センター部に返送される様に構成されている事を特徴とする請求項４乃至８の何れかに記載のカーペットタイル搬送システム。
【請求項９】
複数個の当該台車と複数個の当該カーペットタイル収納ケースとが、当該カーペットタイル搬送装置保管管理センター部に保管されており、適宜のカーペットタイル搬送システム制御部に於いて、受注したタイルカーペット張替え工事が実行される内装工事現場情報に基づいて床面から引き剥がす使用済みカーペットタイルの廃棄数量或いは未使用カーペットタイルの必要使用数量に関する情報が算出され、当該算出された当該使用済みカーペットタイルの廃棄数量或いは未使用カーペットタイルの必要使用数量に応答して、未使用カーペットタイルの必要使用数量が算出され、当該使用済みカーペットタイルの廃棄数量若しくは当該未使用カーペットタイルの必要使用数量に対応する当該台車と当該カーペットタイル収納ケースのそれぞれの必要数量が演算により決定され、当該決定された必要数量の当該台車と当該カーペットタイル収納ケースとが当該カーペットタイル搬送装置保管管理センター部から抽出され、当該抽出された当該台車と当該カーペットタイル収納ケースとを係合せしめて一体化して当該必要数量の当該カーペットタイル搬送装置を構成するか或は一体化せずに別々に当該必要数量の当該台車と当該カーペットタイル収納ケースとを、当該カーペットタイルの製造業者或いは未使用の当該カーペットタイルを保管している倉庫業者に所定の当該第２の搬送手段とは異なる第１の搬送手段で搬送し、当該カーペットタイルの製造業者或いは当該倉庫業者に於いて、当該台車と当該カーペットタイル収納ケースを係合せしめて一体化して当該カーペットタイル搬送装置を形成するか、一体化せずに当該複数個のカーペットタイル収納ケースのそれぞれに予め規定されている数の未使用のカーペットタイルを個別に積み込んだ後、当該台車と共に、当該カーペットタイル搬送装置を当該第１の搬送手段で当該内装工事現場に搬送し、当該内装工事現場に於いて、当該未使用の当該カーペットタイルを内蔵した当該カーペットタイル搬送装置を当該第１の搬送手段から積降し、或は、当該未使用の当該カーペットタイルを内蔵したカーペットタイル収納ケースを当該第１の搬送手段から積降した後、当該カーペットタイル収納ケースと当該台車とを一体化して該カーペットタイル搬送装置を形成し、次いで、当該カーペットタイル搬送装置を当該内装工事現場の当該未使用カーペットタイルの貼り付け作業現場に近接させた状態で移動させながら、当該カーペットタイル収納ケースのそれぞれから当該未使用の当該カーペットタイルを引き降ろしながら当該未使用の当該カーペットタイルを所定の床面に沿って順次に貼り付ける操作が実行され、一方、当該内装工事現場で当該使用済みカーペットタイルを内蔵する別のカーペットタイル搬送装置を、当該第１の搬送手段に積載した後、当該第１の搬送手段が当該産業廃棄物処理業者に搬送され、更には、当該内装工事現場に於いて、既に空となった当該カーペットタイル搬送装置は、そのまま或いは当該台車と当該収納ケースとに分離して当該第２の搬送手段に搭載されて当該カーペットタイル搬送装置保管管理センター部に搬送され、一方、当該産業廃棄物処理業者では、当該使用済みカーペットタイルを内蔵するカーペットタイル搬送装置を当該第１の搬送手段から積降し、所定の保管部署に保管させるか、適宜の産業廃棄物処理を実行し、当該産業廃棄物処理業者で既に空となった当該カーペットタイル搬送装置を当該第１の搬送手段に積載した後、当該第１の搬送手段を当該カーペットタイル搬送装置保管管理センター部に搬送して、当該空となっているカーペットタイル搬送装置を当該第１の搬送手段から積降す様に構成されている事を特徴とする請求項４乃至８に記載のカーペットタイル搬送システム。
【発明の詳細な説明】
【技術分野】
【０００１】
本発明は、カーペットタイル搬送装置及びカーペットタイル搬送システムに関するものであり、特に詳しくは、カーペットタイルを使用した建築物の内装工事の施工作業及び搬送作業の効率化を図る事が出来るタイルカーペット搬送装置及びカーペットタイル搬送システムに関するものである。
【０００２】
又、本発明に用いられるカーペットタイル搬送装置のカーペットタイル収納ケースは、新規カーペットタイルの製造から保管、保管からカーペットタイルの張替え作業が行なわれる建物の内装工事の作業所への納品に、更に、張替え作業が行なわれる建物から剥がし取った既存の使用済みカーペットタイルの収集運搬に、既存の使用済みカーペットタイルの収集運搬から再資源化工場での保管に、更に、再資源化工場で所定の役目を終えたカーペットタイル収納ケースは、内面を良く清掃した後、当該台車と合わせて再び新規カーペットタイルの製造から保管の循環サイクルに於いて使いまわされるものである。
【背景技術】
【０００３】
今日では、所定の建物の内装工事に於いて、床に敷設されている使用済みのカーペットタイルを剥がし取り、新しいカーペットタイルをその跡に敷き詰める様な施工作業を行う場合が頻繁に実行されているが、従来の上記カーペットタイルの張替え作業は、かなり煩雑であり、又時間の無駄が多く、作業者の作業効率も低い為、全体的に施工費用が高くなっているという問題がある。
【０００４】
即ち、従来に於けるカーペットタイルの施工工事に有っては、先ず、ある特定の建物の特定の室内でカーペットタイルの張替え工事が決定されたとすると、当該特定の室内で使用されるカーペットタイルの色と数量が既に確定されているので、新品のカーペットタイルを適宜のカーペットタイル製造工場或は適宜のカーペットタイル保管倉庫に於いて、当該カーペットタイルを１６枚から２０枚を収納する様に予め規格化されている段ボール等で構成された収納ケースに所定の枚数を収納し、密封され梱包或は包装した後、当該必要とするカーペットタイルの色と数量に相当する数の当該収納ケースを当該カーペットタイル製造工場或は適宜のカーペットタイル保管倉庫から出庫して、適宜の搬送手段、例えばトラックに積み込んで、当該カーペットタイルの張替え工事現場まで搬送している。
【０００５】
当該カーペットタイルの張替え工事現場まで当該未使用のカーペットタイルを運んできた当該搬送手段は、そのまま空のままで、所定の基地或は駐車場に戻される。
【０００６】
一方、カーペットタイルの張替え工事現場では、先ず、作業者が当該室内の床から使用済みのカーペットタイルを手作業で一つ一つ床から引き剥がし、当該引き剥がしたカーペットタイルを複数個、当該引き剥がしを行った部位の近傍にランダムに山積みし、又、当該作業員は、次の引き剥がし場所に移り、同じ操作を繰り返して、別の部位に別の使用済みカーペットタイル山積み部を形成し、以下当該室内の全ての使用済みカーペットタイルが引き剥がされるまで繰り返される。その結果、当該室内には、当該使用済みで床から引き剥がされたカーペットタイルがランダムに積み重ねられた複数個の山がランダムに形成される。
【０００７】
係る状態では、その後に新品（未使用）のカーペットタイルを効率的に施工することが不可能であるため、当該使用済みカーペットタイルからなる当該カーペットタイルの山を除去する必要があり、当該作業員が適宜の大きさの手押し式台車を使用して、当該それぞれの使用済みカーペットタイルからなる当該山から当該使用済みカーペットタイルを手作業で一つずつ或は複数枚を当該台車或はキャリヤーにランダムに載せ、当該台車を予め決められた場所に用意されている産業廃棄物収集コンテナ内にランダムに投棄する。
【０００８】
係る操作が全ての当該使用済みカーペットタイルからなる当該山が無くなるまで繰り返される。
【０００９】
その後に、前記した所定の数の梱包或は包装された未使用のカーペットタイルを内蔵する収納ケースを例えば上記した手押し式台車を使用して、当該カーペットタイルの張替え工事現場に運び込み、当該作業員は、当該収納ケースの上方開口部から当該カーペットタイルを手作業にて取出し、所定の床部分に貼り付けて行く。
【００１０】
その後、空となった当該収納ケースは、潰して、例えば、上記した産業廃棄物収集コンテナ内にランダムに投棄するか、所定の床部分に貼り付け作業が終了した頃に、上記した産業廃棄物収集コンテナがいない場合には、別便の産業廃棄物収集コンテナでカーペットタイルの端材と空となった当該収納ケースを運ぶ場合もあった。
【００１１】
係る一連の操作に要する時間はかなり長時間を要するものであり、又、当該カーペットタイルの張替え工事現場の床面積と作業員の数により変動するものであって、当該作業時間を短縮することが大きな課題とされている。
【００１２】
その他、従来では、当該収納ケースの移動或は当該使用済みカーペットタイルを移動させる為に使用される当該手押し式台車の数も少ないため、必要に応じて手積みをするので、上記移送作業の非効率化を促進している。
【００１３】
更に、従来に於いては、当該産業廃棄物収集コンテナは、予め指定された産業廃棄物処理場に搬送して予め指定された廃棄処理を行う事になるが、その為に、当該産業廃棄物収集コンテナを移送するための別の搬送手段、例えば、ダンプ或は大型トラックが必要となるので、複数台の車両及び複数人の運転手にかかる費用がコスト増に影響する。
【００１４】
更に、従来では、当該産業廃棄物を収集の為に、当該搬送手段が、所定の現場に向かう時(行き)は、通常空荷で走る場合が殆どであるため、無駄な走行が行われるので一層コスト高となっていた。
【００１５】
一方、廃棄物処理法の中の広域認定を規定した条項では商品を届けたトラックの帰り便で収集した廃棄物を回収する事を推奨している。
【００１６】
更に、近年では、当該産業廃棄物の処理が規制され、分別処理が推奨されていることから、上記した様な産業廃棄物の取扱では、当該産業廃棄物処理場で分別作業が要求されるが、ランダムに複数種類の産業廃棄物を収納したコンテナから、それらを分別する事は困難な作業であり、当該分別の為に更に別の処理工程と作業員が要求されることになる。
【００１７】
又、近年の当該産業廃棄物の処理の規制強化に関連して、当該使用済みカーペットタイルをパイル層とバッキング層とに分離して再利用を図る処理システムが推奨されており、当該産業廃棄物処理場では、搬入される当該使用済みカーペットタイルが品種別に整然と区分されていれば、それらの保管と処理に際しての同一性の確認に便利ではあるが、上記した従来の産業廃棄物収集コンテナを利用した方法では、実質的に分別方式を前提とする産業廃棄物処理方法を実行する事が不可能である。
【００１８】
即ち、上記した従来のカーペットタイルの張替え工事の施工に際しては、当該収納ケースが一回の使用で廃棄されること、搬送手段、例えば、ダンプカー或いは大型トラック等が複数台必要となり、燃料費、運転者と車両に係る費用が増加する事、作業員の作業効率が極めて低く、作業時間が長期化しているので人件費が高騰している事、当該使用済みのカーペットタイルの廃棄処理に更に追加的コストが掛かっている等の問題が存在している。
【００１９】
尚、建築仕上げ材の搬送作業を効率化する方法として、所定の工事現場で使用される全ての資材を一つのコンテナ内に収納させ、当該コンテナをトラック及び建築現場内に施設したトロリーレールを利用して必要な工事現場に必要な工事資材を搬入する方法が例えば特開平５−１００３０号公報（特許文献１）に開示されてはいるが、係る公知例は、所定の新築の工事現場で必要とされる全工事資材を当該工事現場に効率よく搬入するという課題を解決するに過ぎないものであって、改築・改装の工事現場から排出される産業廃棄物を処理する工程までを含めて効率的に作業が実行される様に構成する技術を開示するものではなく、建物の完成後使用されている室内の改装工事現場に適用できる提案ではない。
【特許文献１】特開平５−１００３０号公報
【発明の開示】
【発明が解決しようとする課題】
【００２０】
従って、本発明の目的は、上記した従来に於けるカーペットタイルの張替え工事に見られる非効率でコストが高い施工システムを改良し、カーペットタイルの施工工事から使用済みのカーペットタイルの廃棄処理までの一連の工程を含み、効率的で、低コストで然も環境に優しいカーペットタイルの張替え工事システムを実現するカーペットタイル搬送装置及びカーペットタイル搬送システムを提供する事を目的としているものである。
【課題を解決するための手段】
【００２１】
本発明は上記した目的を達成するため、基本的に以下に記載されたような構成を採用するものである。
【００２２】
即ち、本発明に於ける第１の態様としては、キャスター付き台車、及び当該台車の貨物搭載面に着脱自在に係合しうるカーペットタイル収納ケースとからなるカーペットタイル搬送装置であって、当該台車の少なくとも一部と当該カーペットタイル収納ケースの少なくとも一部には、当該台車と当該カーペットタイル収納ケースとが相互に着脱自在に係合しうる係合保持部材がそれぞれ設けられており、当該カーペットタイル収納ケースは、少なくともカーペットタイルの形状と寸法を有する矩形の底板部と、当該底板部の周縁部に於ける連続する２辺のそれぞれから当該底板部の当該台車と接触する表面とは異なる表面から略垂直に立設されている所定の高さを有する第１の側壁部と第２の側壁部とから構成されると共に、当該底板部の周縁部に於けるその他の連続する２辺には、側壁部が設けられていない事を特徴とするカーペットタイル搬送装置であり、又、本発明に於ける第２の態様としては、上記したカーペットタイル搬送装置を使用して、当該カーペットタイル収納ケースに未使用の或は使用済みの当該カーペットタイルが収納されているか否かに係らず、少なくとも、当該カーペットタイル搬送装置が、タイルカーペットの張替え工事が実行される内装工事現場に搬入されてから当該内装工事現場を離れる迄の間は、当該台車と当該カーペットタイル収納ケースとが一体化された状態を維持したままで移動する様に構成されている事を特徴とするカーペットタイル搬送システムである。
【発明の効果】
【００２３】
本発明は、室内の改装工事の作業現場における各種作業とコストを合理化することを目的として、上記した様な基本的な技術的構成を有しているので、カーペットタイルの製造から当該カーペットタイルの施工工事を経て、使用済みのカーペットタイルの廃棄処理に到るまでの一連の工程に於いて、積みなおし等の二重手間を最小限にする事及び未使用のカーペットタイルを搬入する車輌で剥がし取った使用済みカーペットタイルを搬出する事によって廃棄物処理法の中の広域認定を規定した条項で環境省が推奨する商品を届けたトラックの帰り便で収集した廃棄物を回収する事を実現し、効率的で、低コストで然も環境に優しいカーペットタイルの張替え工事システムを実現するカーペットタイル搬送装置及びカーペットタイル搬送システムを提供することが可能である。
【発明を実施するための最良の形態】
【００２４】
以下に、本発明にかかるカーペットタイル搬送装置及びカーペットタイル搬送システムの具体例の構成を図面を参照しながら詳細に説明する。
【００２５】
即ち、図１及び図２は、本発明に係るカーペットタイル搬送装置１の一具体例の構成を示す図であって、図中、キャスター２１付き台車２、及び当該台車２の対として使用されるものであり、当該台車２貨物搭載面３に着脱自在に係合しうるカーペットタイル収納ケース４とからなるカーペットタイル搬送装置１であって、当該台車２の少なくとも一部と当該カーペットタイル収納ケース４の少なくとも一部には、当該台車２と当該カーペットタイル収納ケース４とが相互に着脱自在に係合しうる係合保持部材５と、当該係合保持部材５と係合しうる係合具９がそれぞれ設けられており、当該カーペットタイル収納ケース４は、少なくともカーペットタイル１１の形状と寸法を有する矩形の底板部６と、当該底板部６の周縁部に於ける連続する２辺６１、６２のそれぞれから当該底板部６の当該台車２の貨物搭載面３と接触する表面とは異なる表面７から略垂直に立設されている所定の高さを有する第１の側壁部４１と第２の側壁部４２とから構成されると共に、当該底板部６の周縁部に於けるその他の連続する２辺６３、６４には、側壁部が設けられていないカーペットタイル搬送装置１が示されている。
【００２６】
本発明に於ける当該カーペットタイル収納ケース４は、上記した様な構成を有しているので、新品であると使用済みであるとに拘わらず、カーペットタイルを当該側壁部が設けられていない空間部を利用して容易に当該底板部６上に当該第１と第２の側壁部を基準として、順次重ね合わせて積載収容させる事が出来、然も、当該第１の側壁部４１と第２の側壁部４２が位置決め効果を発揮するので、作業者は、当該カーペットタイルを当該底板部６或いは当該底板部６上に既に積層されているカーペットタイルの上に載せて軽く押し込むことによって、複数枚の当該カーペットタイルが整列積層された状態で当該収納ケース４内に容易に且つ効率的に積層収納されるのである。
【００２７】
同様に、本発明に於ける当該収納ケース４から当該未使用のカーペットタイル１１を積み降ろす際の作業も極めて容易であり効率的となる。・
本発明に於ける当該カーペットタイル搬送装置１を構成する当該台車２の構造は特に限定されるものではないが、少なくとも、貨物搭載用基板２０の底面８に当該台車２を移動可能にする複数個の車輪、キャスター２１が設けられている事が望ましい。
【００２８】
本発明に使用される当該台車２の当該基板２０に於ける当該貨物搭載面３は、上記した収納ケース４の底板部６の矩形形状と略同一の形状で、当該底板部６の面積と略同一の面積を有するものである事が望ましいが、これに限定されるものではない。
【００２９】
又、本発明に於いて使用される当該収納ケース４の底板部６の形状は、国内で略規格化されているカーペットタイル１１の形状及び寸法と略同一の形状及び寸法に形成されている事が望ましい。
【００３０】
即ち、一般的に当該カーペットタイル１１は、５００ｍｍ×５００ｍｍの正方形に規格化されて製造されているので、当該収納ケース４の底板部６も略同様の寸法を有する正方形であることが望ましい。
【００３１】
従って、当該台車２の基板２０に於ける貨物搭載面３の形状及び寸法も、上記と同一に形成されており、且つ当該台車２の底面８と貨物搭載面３には、当該カーペットタイル収納ケース４の素材よりも剛性のある板状物質が敷かれている事も望ましい。
【００３２】
具体的には、図１（Ｂ）に示す様に、当該台車２の当該基板２０は、６００ｍｍ×６００ｍｍ角の例えば一枚の木質或いは合成樹脂又は金属材料等で構成されるか、厚手のベニヤ板等で構成されたものであって、その下面８の四隅にキャスター２１を有し、当該基板２０の貨物搭載面３の少なくとも一部に使用済みカーペットタイル若しくは新規のカーペットタイルが梱包され、若しくは梱包されずに、収納されている当該カーペットタイル収納ケース４或いは空の当該収納ケース４を積載した際に、当該収納ケース４を固定し且つ安定的に保持できる機能を発揮する係合保持部材５を設けるものである。
【００３３】
当該係合保持部材５が設けられる部位は特に特定されるものではなく、当該基板２０の貨物搭載面３、当該基板２０の側縁部或は当該基板２０の裏面８の何れかに設ける事が可能である。
【００３４】
当該係合保持部材５は、例えば、当該台車２の当該基板２０の当該貨物搭載面３に設けられた、適宜の形状を有する、当該カーペットタイル収納ケース４の一部に設けた突起部或は突起片と容易に嵌合する孔部であっても良く、或いは、適宜の幅と長さを有する溝部であっても良く。
【００３５】
更には、当該係合保持部材５は粘着材、粘着テープ或いは感圧型の接圧テープ、或いはフックやボタン、スナップ、ボルト、ネジ等を使用することも可能である。
【００３６】
一方、本発明に於ける当該係る係合保持部材５は、１個で無くとも良く、必要により複数個設ける事も可能である。当該係合保持部材５は未使用・使用済みを問わずカーペットタイルの積載に障害にならない部材、形状である事が望ましい。
【００３７】
又、当該台車２の適宜の部分に適宜の紐材或は弾性部材を取り付け、その先端部に適宜のフック状或は鉤状の部材を設け、当該フック状或は鉤状の部材を当該収納ケース４の当該底板部６或は当該側壁部４１、４２の一部に係合させるように構成されたものであっても良い。
【００３８】
本発明に係る当該係合保持部材５は、当該台車２側或は当該カーペットタイル収納ケース４側の何れかに設けられているものであっても良く、例えば、当該係合保持部材５が粘着材、粘着テープ或は挟み込みフック状部材である場合が想定されるが、当該係合保持部材５は、当該台車２側に設けられる係合保持具５５と、係合保持具５５と着脱自在に係合固定される当該カーペットタイル収納ケース４側に設けられる係合保持具９とで構成されるものであっても良い。
【００３９】
即ち、当該係合保持部材５を構成する当該係合保持具５５が粘着材、粘着テープ或いは感圧型の接圧テープ、或いはフックやボタン等である場合には、当該係合保持具９は、これ等と容易に嵌合、脱着しえる構成を有するものであることが望ましい。
【００４０】
図１（Ｃ）及び図２（Ａ）及び（Ｂ）に、本発明に於いて使用される当該係合保持具５５と係合保持具９とで構成された係合保持部材５の一具体例の構造を示す。
【００４１】
即ち、本具体例に於ける当該係合保持部材５を構成する当該係合保持具５５は、金属或はプラスチック等で構成されたフック状或は屈曲バネ板状の部材５１で構成され、その一端部５６が当該台車２の当該基部２０の２辺６１、６２に於ける側面の一部に、それぞれ適宜の取り付け部材５３を介して旋回自在に或は弾発的に取り付けられており、その他端部５２には、適宜の屈曲状に構成された滑り止め部５４が設けられている。
【００４２】
好ましくは、当該係合保持部材５の当該係合保持具５５は、例えば、スプリング等を使用した適度のバイアス力が当該台車２に搭載される当該カーペットタイル収納ケース４に於ける当該孔部からなる当該係合保持具９を当該台車２の貨物搭載面３に向けて常時印加される様に構成されているものである。
【００４３】
一方、当該係合保持具５５と着脱自在に係合する当該係合具９は、当該カーペットタイル収納ケース４のそれぞれの当該側壁部の下端部で当該底板６に近接する部位で且つ当該係合保持部材５の当該係合保持具５５が配置されている部位に対応する部位に、適宜の大きさの開口部９９を１つ或いは複数個、当該係合保持具５５と対応する数を設けることによって構成される。
【００４４】
つまり、本発明に係る当該収納ケース４には、当該台車２に配置されている適宜の当該係合保持具５５と容易に且つ着脱自在に係合する係合保持具９が設けられているので、当該収納ケース４は、当該台車２３と必要な時点では、相互に一体化して、一つのカーペットタイル搬送装置１として使用され、且つ後述するような、当該収納ケース４内に未使用或は使用済みのカーペットタイルが内蔵された状態では、特定の経路に沿って一体化した形で移動や移送或は搬送が実行されるが、そうでない場合には、両者は分離されて移送或は搬送され更には所定の箇所で保管される事になる。
【００４５】
特に、本発明に於いては、当該収納ケース４に所定カーペットタイル１１が堆積されていない場合には、保管スペースや、トラック等の搬送手段内での載置スペースを確保する為には、当該収納ケース４は、当該台車２と分離された状態に置かれ、且つ折り畳まれた状態に形成しておく事も好ましい。
【００４６】
その為に、当該カーペットタイル収納ケース４が段ポールで構成されている場合を除き、当該カーペットタイル収納ケース４の側壁部４１、４２の接合部４３は、必要に応じて分離され、且つ接合される様に、適宜の着脱自在接合具４４が設けられている事が望ましい。
【００４７】
更には、当該搬送手段として使用されるトラック等の運搬用車両が、パワーゲート車であるか、ユニック車であるかによって、当該カーペットタイル搬送装置１を当該台車２と当該カーペットタイル収納ケース４に分離した状態で搬送させるか、当該台車２と当該カーペットタイル収納ケース４とを係合固定して一体化された当該カーペットタイル搬送装置１として搬送させるかが、判断される場合もある。
【００４８】
尚、本発明に於ける当該収納ケース４は、ダンボールで構成されても良く、又、長期間に亘って複数回再利用される事を考慮して、木材、プラスチック、ベニヤ板、補強プラスチック、金属材料等で構成されたものであっても良い。
【００４９】
本発明に於ける当該収納ケース４の当該第１と第２の側壁部４１、４２は、幅５００ｍｍ×高さ６００ｍｍ〜７００ｍｍを有するダンボール等の平板を用いることが望ましい。
【００５０】
勿論、本発明に於ける当該側壁部４１、４２の高さは、特定されるものではないが、一般的には、一つの当該収納ケース４には、１５乃至３０枚程度の、より好ましくは、１６乃至２０枚の当該カーペットタイル１１が収納され、一方、保管の為にはカーペット表面の潰れ防止の為に７段積み以下である事が規定されているものであるから、当該カーペットタイル１１の厚みを考慮して、当該側壁部４１、４２の高さは当該収納ケース４へのカーペットタイル１１の収納枚数が１００枚〜１２０枚となる様に決定される事が望ましい。
【００５１】
更に、本発明に於ける当該収納ケース４は、使用中は立体的構成を有するものであるが、不使用中は、保管スペース、搬送時のスペース等を確保する為に、折り畳み自在に構成されている事が好ましい。
【００５２】
つまり、本発明に係る当該収納ケース４は、図３（Ａ）及び図３（Ｂ）に例示する様に、折畳み自在に構成されている事が望ましい。
【００５３】
一方、本発明に於ける当該収納ケース４の当該側壁部４１、４２と当該底板部６の当該縁部６１、６２との接合部は、適宜の機構を介して曲げ、折畳み、屈折が可能な様に構成されていることが望ましく、例えば、ヒンジ、蝶番の他、厚みの薄い膜状体であって、当該側壁部４１、４２と当該底板部６との間に連続的且つ一体的に形成された構造のものであっても良い。
【００５４】
本発明に於ける当該側壁部４１、４２は，図３（Ｂ）に示す様に、更に当該側壁部４１、４２の適宜の部位１０に於いて、上記した構造の曲げ、折畳み、屈折を可能とする機構を更に一段、或は複数段設ける様に構成されているものであっても良い。
【００５５】
尚、上記したような、当該カーペットタイル収納ケース４内に所定の数量の新規な、或いは使用済みのカーペットタイルを収納して、所定の場所まで搬送する際の形態維持・荷崩れ防止・吊り上げ積み下ろしの為に、ストラップ、紐等１５が使用される場合には、図１（Ｄ）に示す様に、当該カーペットタイル収納ケース４の底板部６の上面に接触して配置される下部補助板１６を使用すると共に、当該カーペットタイル収納ケース４内の最上部に位置する当該カーペットタイル１１の上面に配置される上部補助板１７を配置して、当該カーペットタイルに印加される種々の外力から当該カーペットタイル１１の品質を保持し、且つ変形或は破損を防止する事も可能である。
【００５６】
係る目的のために、本発明に於ける更なる具体例としては、図４に示す様な、当該カーペットタイル収納ケース４と同一の構造を有する別のカーペットタイル収納ケース４’を別途用意するか、予備の或は保管中で使用計画が定まっていない当該カーペットタイル収納ケース４を当該別のカーペットタイル収納ケース４’として、当該カーペットタイル収納ケース４の被覆部材４６として使用する事も出来る。
【００５７】
即ち、図４に示す様に、当該収納ケース４と同一の構成を持つ別の収納ケース４’を１８０度反転させ、当該収納ケース４の底板部６を天井側に移動させれば、当該別の収納ケース４’は、構造上、当該収納ケース４の完全なる補完構造を有しているので、その両者を一体化させると、完全な密封された立方体の収納ケース４が実現する事になる。
【００５８】
つまり、当該別の収納ケース４’は、特別に製造する事なしに、既存の当該収納ケース４をそのまま利用して蓋部材４６として使用することが出来るのである。
【００５９】
尚、当然のことながら、当該カーペットタイル収納ケース４と蓋部材４６として使用する当該カーペットタイル収納ケース４’を合体して密閉された収納ケースを構成する際に、相互に対向して接合する側縁部同士には、それぞれ適宜の着脱自在係合具９８、９８’が設けられている事が望ましい。
【００６０】
更に、本発明に於ける当該カーペットタイル収納ケース４の製造方法は、特に限定されるものではないが、一具体例としては、図５に示す様に、一枚の適宜の基板、例えばダンボールに当該側壁部４１、４２に対応する領域１００と１０１とを内折境界線１０７を介して連続して配置し、当該領域１００と１０１の当該底板部６側の縁部６１、６２にそれぞれ連続した、底板部６に対応する領域１０２、１０３を破線で示される切断線１０８を介して形成する。
【００６１】
更に、当該側壁部４１、４２に対応する当該領域１００と１０１の当該底板部６側の縁部６１、６２に接続される部位には、前記した様に、当該台車２側に設けられた、当該係合保持具５５を嵌入させることが可能な開口部９９を設けるものである。
【００６２】
この様に、当該ダンボール紙に上記した構成を持たせた後に、当該は線１０８を切断し、当該縁部６１、６２に於いて、当該領域部１０２及び１０３を当該縁部６１、６２で中折れさせると同時に、当該境界線１０７で、当該側壁部４１、４２に対応する当該領域１００と１０１を内折りする事によって、本発明のカーペットタイル収納ケース４が容易に形成される。
【００６３】
本発明に於ける当該カーペットタイル収納ケース４は、係る折り畳み状態で使用しても良く、或は、適宜の接着剤或は両面テープ、更には、適宜の着脱手段を利用して、当該領域１０２、１０３の重畳部分を相互に固定するものであっても良い。
【００６４】
尚、後述する様に、当該カーペットタイル収納ケース４を折り畳んで搬送する場合には、当該カーペットタイル収納ケース４が、段ボールで構成されている場合には、当該少なくとも一部の中折れ部分の中折れ状態を解消することによって実行できる。
【００６５】
従って、当該カーペットタイル収納ケース４が、段ボールで構成されている場合には、側壁部４１、４２に対応する当該領域１００と１０１との間の中折れ線１０７に上記した着脱自在接合具４４を設ける必要はない。
【００６６】
本発明のカーペットタイルカーペットタイル収納ケース４は、新規のカーペットタイルを運んだ後、使用済みカーペットタイルを運び、このサイクルをダンボール紙の寿命が尽きるまで繰り返す事を使命としている。従って、使用済みカーペットタイルに付着していた汚れが残存して、この次の新規カーペットタイルを汚す事を防ぐ為に、収納ケース４の内側にはビニールコートを施して清掃が容易であるようにされていることが望ましい。
【００６７】
又、本発明のカーペットタイル収納ケース４は、ダンボール紙の寿命が尽きるまで繰り返す事を使命としている為に、寿命が尽きたダンボールをリサイクル再生する事を想定して、収納ケース４の内側にはビニールコートを施すのでなく、着脱自在なビニールシートを内張りに使用することも好ましく用いられる。
【００６８】
本発明に於ける当該台車３と当該収納ケース４からなるカーペットタイル搬送装置１は、当初は、当該台車３と当該収納ケース４とが分離されて、所定の当該カーペットタイル搬送装置保管センターに保管しておく。
【００６９】
その際、当該収納ケース４は、折り畳んで保管されていることが望ましい。
【００７０】
次に、本発明に係る第２の態様であるカーペットタイル搬送システムについて、その具体的な構成について以下に説明する。
【００７１】
即ち、本発明に於ける当該カーペットタイル搬送システム８０の基本的な技術構成は、図６に示されている通り、少なくとも、当該カーペットタイル搬送装置１を構成する複数個の当該台車２と複数個の当該カーペットタイル収納ケース４とが予め保管されているカーペットタイル搬送装置保管管理センター部８１、当該カーペットタイル１１の製造業者或いは未使用の当該カーペットタイル１１を保管している倉庫業者８２、当該カーペットタイル１１の張替え工事を行う内装工事現場８３、当該使用済みカーペットタイル１１’を産業廃棄物として処理する産業廃棄物処理現場８４とから構成されているカーペットタイル搬送システム８０であって、当該カーペットタイル搬送システム８０は、少なくとも当該タイルカーペット搬送装置保管管理センター部８１から当該カーペットタイルの製造業者或いは当該倉庫業者８２に至る第１の経路９２、当該カーペットタイルの製造業者或いは当該倉庫業者８２から当該内装工事現場８３に至る第２の経路９３、当該内装工事現場８３から当該産業廃棄物処理業者８４に至る第３の経路９４、当該産業廃棄物処理業者８４から当該カーペットタイル搬送装置保管管理センター部８１に至る第４の経路９５及び当該カーペットタイル搬送装置保管管理センター部８１から当該内装工事現場８３に至る第５の経路９０とを含み、且つ当該カーペットタイル搬送装置１を搭載して当該第1乃至第４の経路を順次に巡回する第１の搬送手段１３０と当該カーペットタイル搬送装置１を搭載して当該第５の経路９０を往復する第２の搬送手段１３１が使用される様に構成されているものである。
【００７２】
そして、本発明に於ける当該カーペットタイル搬送システム８０に於ける特徴的な構成としては、当該カーペットタイル搬送システム８０に於いて、当該カーペットタイル搬送装置１は、当該カーペットタイル収納ケース４に未使用の或は使用済みの当該カーペットタイル１１、１１’が収納されているか否かに係らず、少なくとも、当該カーペットタイル搬送装置１が、タイルカーペット１１の張替え工事が実行される内装工事現場８３に搬入されてから当該内装工事現場８３を離れる迄の間は、当該台車２と当該カーペットタイル収納ケース４とが一体化された状態を維持したままで移動する様に構成されている事である。
【００７３】
上記した本発明に係る当該カーペットタイル搬送システム８０の具体的な構成例を更に詳細に説明する。
【００７４】
即ち、上記した本発明に係る当該カーペットタイル搬送システム80に於ける初期状態にあっては、当該カーペットタイル搬送装置保管センター８１には、複数個の台車２と複数個の収納ケース４とが予め待機保管されており、一方、当該産業廃棄物処理業者８４には、当該複数の台車２と、使用済みのカーペットタイル１１’が内部に搭載された形の当該複数の収納ケース４とが一体化されている状態或いはその双方が分離された状態にある当該複数個のカーペットタイル搬送装置１が、当該使用済みのカーペットタイル１１’が所定の産業廃棄物処理を受けるまで待機保管されている状態８５と、既に使用済みのカーペットタイル１１’が所定の産業廃棄物処理を受けて、空になった当該収納ケース４と台車２で構成された複数個の当該カーペットタイル搬送装置１が待機保管されている状態８６となっている。
【００７５】
本発明に於ける当該カーペットタイル搬送システム８０においては、少なくとも、当該カーペットタイル搬送装置１が、タイルカーペット１１の張替え工事が実行される内装工事現場８３に搬入されてから当該内装工事現場８３を離れる迄の間は、当該カーペットタイル収納ケース４に未使用の或は使用済みの当該カーペットタイル１１、１１’が収納されているか否かに係らず、当該台車２と当該カーペットタイル収納ケース４とが一体化された状態を維持したままで移動する様に構成されている事である。
【００７６】
そして、その他の各経路を移動する当該カーペットタイル搬送装置１は、その状況によって、当該台車２と当該カーペットタイル収納ケース４とが一体化された状態で移動する場合と、当該台車２と当該カーペットタイル収納ケース４とが相互に分離され、別々の状態で移動する場合とがあり、当該カーペットタイル搬送装置１が分離された状態で所定の経路を移動せしめられる場合には、当該カーペットタイル収納ケース４は、折り畳まれた状態で移送せしめられるように構成されていることが望ましい。
【００７７】
即ち、本発明に於ける当該カーペットタイル搬送システム８０に於いては、当該第１乃至第５の経路を移動する当該カーペットタイル搬送装置１は、当該台車２と当該カーペットタイル収納ケース４とが分離した状態、或は当該台車２と当該カーペットタイル収納ケース４とが一体化された状態の何れかにある。
【００７８】
同様に、当該カーペットタイル搬送装置１が、当該カーペットタイル搬送装置保管管理センター部８１に保管されている場合にも、当該台車２と当該カーペットタイル収納ケース４とは相互に分離された状態で保管されることが望ましく、その際には、当該カーペットタイル収納ケース４は、折り畳まれた状態で保管せしめられるように構成されていることが望ましい。
【００７９】
又、本発明に於ける当該カーペットタイル搬送システム８０での当該カーペットタイル搬送装置１の搬送手段としては、適宜の大きさを有する第１の搬送手段１３０、例えば、トラックが使用されるものであり、好ましくは、パワーゲート車若しくはユニック車を使用するものである。
【００８０】
本発明に於ける当該第１の搬送手段１３０は、当該第1乃至第４の経路９２〜９５を巡回する様に運行されるものである。
【００８１】
本発明に当該カーペットタイル搬送システム８０の別の態様としては、カーペットタイル搬送装置保管管理センター部８１とカーペットタイル１１の製造業者或いは未使用の当該カーペットタイル１１を保管している倉庫業者８２と当該使用済みカーペットタイル１１’を産業廃棄物として処理する産業廃棄物処理現場８４とは、互いに近接した状態の位置関係を保持している事が好ましく、例えば、上記各部署は、同一工場の敷地内に設けられることが好ましい。
【００８２】
上記の場合、９２及び９５の経路に投入される第1の搬送手段１３０は工事用内搬送用のフォークリフト若しくはベルトコンベアが好ましく用いられる。
【００８３】
この場合、９３及び９４の経路に投入される第1の搬送手段１３０はトラックが使用されるものであり、好ましくは、パワーゲート車若しくはユニック車を使用するものである。
【００８４】
又、本発明に於いて、当該第５の経路９０に於いて使用される当該搬送手段１３１は、主として、空のカーペットタイル収納ケース４と台車を搬送するものであるから、当該第１の搬送手段１３０の積載容積よりも小さい積載容積を持つトラックで対応できる。
【００８５】
尚、当該第１の搬送手段１３０は、使用済みカーペットタイルを搬送する役目を有するものであり、当該使用済みカーペットタイルは、産業廃棄物であるので、産業廃棄物を扱う資格を有しない者には当該第１の搬送手段１３０を運転する資格が無い。
【００８６】
次に、本発明に於ける当該カーペットタイル搬送システム８０の操作手順の一具体例の詳細を図６および図７を参照しながら説明する。
【００８７】
即ち、本発明に係る当該カーペットタイル搬送システム８０の基本的な構成は、カーペットタイルを使用した内装工事を受注し、その施工スケジュールを立案し、必要なカーペットタイルの数、当該カーペットタイル搬送装置１の数等の設定を行い、当該内装工事の施工スケジュールに合わせて当該搬送手段９４と運転者の手配と運行スケジュールの作成、或は当該内装工事に携わる作業員の人数の決定と手配等を実行するシステム制御管理センター９１のサーバー９１’と、当該カーペットタイル搬送装置１を複数個保管している当該カーペットタイル搬送装置保管管理センター部８１のサーバー８１’と、当該カーペットタイル１１を製造するカーペットタイル製造業者或は未使用のカーペットタイル１１を保管している倉庫業者等からなるカーペットタイル供給業者８２のサーバー８２’と、当該産業廃棄物処理現場８４のサーバー８４’と当該システムに係る１乃至複数台の当該搬送手段１３０、１３１が保有する携帯端末サーバー１３０’、１３１’と、場合によっては当該内装工事現場８３で作業する作業員が保有する携帯端末１２０のサーバー１２０‘と、が適宜の通信回線９７を介して電気的に接続されている。
【００８８】
尚、本発明に於ける当該システム制御管理センター９１には、適宜の演算手段であるＣＰＵ１２１と適宜の演算処理プログラムを内蔵すると同時に必要な基礎データを記憶している記憶手段１２２とが設けられている。
【００８９】
係るカーペットタイル搬送システム８０に於いて、例えば、複数個の当該台車２と複数個の当該カーペットタイル収納ケース４とが、予め当該カーペットタイル搬送装置保管管理センター部８１に保管されており、又、当該産業廃棄物処理現場８４には、空になった複数個の当該収納ケース４とそれと同等の数の台車２が待機していると仮定する。
【００９０】
そして、当該適宜のカーペットタイル搬送システム制御管理センター９１に於いて、所定の内装工事に関する受注に成功した場合に、当該システム制御管理センター９１では、内装工事現場の施工面積から、施工に必要な未使用のカーペットタイルの数量と床面から引き剥がす使用済みカーペットタイルの廃棄数量に関する情報に応答して、当該未使用或は使用済みカーペットタイルの数量とそれに対応する当該台車２と当該カーペットタイル収納ケース４の必要数量が演算により決定され、当該決定された必要数量の当該台車２と当該カーペットタイル収納ケース４が当該カーペットタイル搬送装置保管管理センター部８１から抽出され、当該抽出された当該台車２と当該カーペットタイル収納ケース４とを一体化して当該必要数量の当該カーペットタイル搬送装置１を構成した上で、当該カーペットタイル搬送装置１を当該内装工事現場８３に所定の第２の搬送手段１３１で当該第５の経路９０を介して搬送するか、当該必要数量に対応する数の当該台車２と当該カーペットタイル収納ケース４を相互に一体化することなしに、そのまま、当該第２の搬送手段１３１に積み込んで当該内装工事現場８３に搬送して、当該該内装工事現場８３に於いて当該台車２と当該カーペットタイル収納ケース４を組み立ててカーペットタイル搬送装置１を形成した後、当該カーペットタイル搬送装置１を当該内装工事現場８３の当該使用済みカーペットタイル１１’の引き剥がし作業現場に近接させた状態で移動させながら、所定の床面から引き剥がした当該使用済みカーペットタイル１１’を、作業者が順次当該カーペットタイル搬送装置１の当該カーペットタイル収納ケース４内に積み込む操作が実行され、その後、当該カーペットタイル収納ケース４内に当該使用済みカーペットタイル１１’を積層内蔵させた当該カーペットタイル収納ケース４と台車２を含むカーペットタイル搬送装置１は、当該第２の搬送手段１３１とは異なる第１の搬送手段１３０に搭載して、当該使用済みカーペットタイル１１’を産業廃棄物処理現場８４まで搬送される様に構成されているものである。
【００９１】
係る具体例に於いては、当該第１の搬送手段１３０は、当該第２の搬送手段１３１よりも大型のトラック或いはパワーゲート車若しくはユニック車を使用する事が望ましい。
【００９２】
そして、上記した様に、当該内装工事現場８３では、当該カーペットタイル搬送装置１は、当該台車２と当該カーペットタイル収納ケース４が一体化されていることが必要であり、当該内装工事現場８３まで、当該台車２と当該カーペットタイル収納ケース４とが分離された状態で搬送された場合には、当該内装工事現場８３の近傍或は当該内装工事現場８３の入り口部で、当該台車２と当該カーペットタイル収納ケース４を当該第２の搬送手段１３１から積み降ろす際に当該両者を一体化することが必要である。
【００９３】
尚、本発明に於ける当該操作手順は、当該新規のカーペットタイルを貼り付ける工事以前に完了させておく必要があるので、後述する経路９３を介して当該内装工事現場８３に未使用のカーペットタイル１１が到着する時刻をみはらかって、早めに実行させておく事が必要である。
【００９４】
そして、当該使用済みカーペットタイル１１’を積層内蔵させた当該カーペットタイル収納ケース４と台車２を含むカーペットタイル搬送装置１は、当該第２の経路９３を介して到着した第１の搬送手段１３０に積み込む事になる。
【００９５】
更に、本具体例では、後述する様に、当該第１の搬送手段１３０が当該内装工事現場８３まで搬送してきた当該複数個のカーペットタイル搬送装置１が当該第１の搬送手段１３０から積み降ろされ、当該カーペットタイル収納ケース４に収納されていた当該未使用のカーペットタイル１１が、完全に当該内装工事現場８３内で使用された場合に空になったカーペットタイル収納ケース４が発生する。
【００９６】
その場合には、当該台車２と当該空になったカーペットタイル収納ケース４を当該第２の搬送手段１３１に搭載し、当該第２の搬送手段１３１は、当該台車２と当該空になったカーペットタイル収納ケース４を当該カーペットタイル搬送装置保管管理センター部８１に戻す為に当該カーペットタイル搬送装置保管管理センター部８１に移動する。
【００９７】
又、本発明に於ける別の態様としては、当該受注した内装工事の情報から得られた当該施工工事に使用される未使用カーペットタイル１１の数或は床面から引き剥がす使用済みカーペットタイル１１’の廃棄数量に関する情報に応答して、当該カーペットタイル１１の数量に対応する当該台車２と当該カーペットタイル収納ケース４の必要数量が演算により決定され、当該決定された必要数量の当該台車２と当該カーペットタイル収納ケース４が当該カーペットタイル搬送装置保管管理センター部８１から抽出され、当該抽出された当該台車２と当該カーペットタイル収納ケース４とを一体化して当該必要数量の当該カーペットタイル搬送装置１を構成した上で、当該カーペットタイルの製造業者或いは未使用の当該カーペットタイルが保管されている保管業者８２に所定の当該第２の搬送手段１３１とは異なる第１の搬送手段１３０で第１の経路９２を介して搬送するか、当該必要数量に対応する数の当該台車２と当該カーペットタイル収納ケース４を相互に一体化することなしに、そのまま、分離した状態で、当該カーペットタイルの製造業者或いは未使用の当該カーペットタイルが保管されている保管業者８２に第１の経路９２を介して当該第１の搬送手段１３０で搬送して、当該カーペットタイル１１の製造御者或いは未使用の当該カーペットタイル１１が保管されている保管業者８２に於いて当該台車２と当該カーペットタイル収納ケース４を相互に一体化して当該カーペットタイル搬送装置１を組み立てるか、組み立てずに両者を分離させたままの状態にしておき、その後、カーペットタイル搬送装置１に一体化されているか、台車２の分離されている状態の当該カーペットタイル収納ケース４のそれぞれに予め規定されている数の未使用カーペットタイル１１を積み込んだ後、当該カーペットタイル搬送装置１を当該第１の搬送手段１３０で当該第２の経路９３を介して当該内装工事現場８３に搬送し、当該内装工事現場８３に於いて、当該未使用の当該カーペットタイル１１を内蔵した当該カーペットタイル搬送装置１を当該第１の搬送手段１３０から積降し、必要により当該カーペットタイル収納ケース４を当該台車２と一体化し、その後、当該内装工事現場８３で床から引き剥がした当該使用済みカーペットタイル１１’を内蔵する別のカーペットタイル搬送装置１を、当該台車２と当該カーペットタイル収納ケース４とが一体化された状態或は相互に分離された状態で当該第１の搬送手段１３０に積載した後、当該第１の搬送手段１３０を当該第３の経路９４を介して当該産業廃棄物処理場８４に搬送し、当該カーペットタイル搬送装置１を、一旦当該産業廃棄物処理現場８４の保管倉庫に格納した後、当該産業廃棄物処理現場８４に於いて、既に待機している当該空となった当該カーペットタイル収納ケース４と当該台車２とが一体化された状態か双方が分離された状態にある当該カーペットタイル搬送装置１を、当該第１の搬送手段１３０に搭載し、当該第４の経路９５を介して当該カーペットタイル搬送装置保管管理センター部８１に搬送して、当該空となっているカーペットタイル搬送装置１を積降し、それらを当該保管センター８１で保管する様に構成されている。
【００９８】
更に、本具体例に於いては、当該内装工事現場８３に於いて、当該未使用のカーペットタイル１１を搭載した当該カーペットタイル搬送装置１を、当該カーペットタイル１１を施工する場所の近傍まで移動させ、当該カーペットタイル搬送装置１を移動させながら、当該作業員が当該未使用のカーペットタイル１１を当該収納ケース４から順次に取り出して、それを順次に所定の床面に貼り付けていく操作が繰り返される。
【００９９】
本発明に於いては、当該施工場所の極近くまで当該カーペットタイル搬送装置１を移送し、それを移動させながらカーペットタイルの貼り付け作業を行う事が可能であるから、作業効率は著しく向上し、作業員の人数も大幅に削減する事が可能となる。
【０１００】
然も、係るカーペットタイルの貼り付け作業を行う場所には、既に、当該床面から剥ぎ取った使用済みのカーペットタイルの山はもともと形成される事がないので、作業に対する障害が全く無いので作業効率の向上に更に寄与する事が可能である。
【０１０１】
一方、当該内装工事現場８３に於いて、当該未使用のカーペットタイルの貼り付け施工作業中或は終了後、当該空となったカーペットタイル搬送装置１をそのまま或は当該台車２と当該収納ケース４とに分離された当該カーペットタイル搬送装置１を、望ましくは当該収納ケース４を折り畳んで順次に、当該第２の搬送手段１３１に搭載格納し、その後、当該第２の搬送手段１３１を当該第５の経路９０を介して当該カーペットタイル搬送装置保管管理センター部８１に搬送して、当該空となっているカーペットタイル搬送装置１若しくは当該台車２と当該収納ケース４を積降し、それらを当該保管センター８１で個別に保管する様に構成されている。
【０１０２】
即ち、本発明に於ける当該カーペットタイル搬送システム８０に於いては、特に、当該台車２と当該カーペットタイル収納ケース４とが相互に分離された状態で、当該第２の経路９３及び当該第５の経路９０を介して当該内装工事現場に搬送された当該カーペットタイル搬送装置１は、当該内装工事現場８３の近傍或は当該内装工事現場８３の入り口部に於いて、当該台車２と当該カーペットタイル収納ケース４とを係合させて一体化される事が望ましい。
【０１０３】
本発明に於ける当該産業廃棄物処理現場８４に於ける当該カーペットタイルの廃棄処理方法は特に特定されるものではないが、例えば、当該使用済みのカーペットタイル１１’を焼却する方法、細かく裁断して焼却するか他の材料と混合して成形する方法、繊維層とバッキング層とを分離して当該バッキング層から塩ビを回収すると共に、繊維層を再生カーペットタイルのバッキング層として再利用する方法、或は、使用済みのカーペットタイル１１’の表面に適宜の樹脂材を塗布、コーティングすることにより、化粧を施す方法等が使用可能である。
【０１０４】
一方、本発明に於いては、当該内装工事現場８３は、直接当該通信回線９７と電気的に接続されることは難しいが、当該搬送手段１３０又は１３１に搭載された通信端末１３０’又は１３１’、或は当該内装工事現場８３で作業する作業員が携帯する携帯通信端末１２０のサーバー１２０’を当該通信回線９７に接続させることによって、当該内装工事現場８３に於ける、当該内装工事の施工状況やその進捗状況に関する情報を当該システム制御管理センター９１で把握する事が可能である。
【０１０５】
又、本発明に於いては、当該第５の経路９０を介して搬送される当該カーペットタイル搬送装置１は、当該未使用のカーペットタイル１１が当該内装工事現場８３に到着する以前に、当該使用済みのカーペットタイル１１’を当該床面から全て引き剥がしておく必要があることから、当該第２の搬送手段１３１は、当該第１の搬送手段１３０が当該カーペットタイル搬送装置保管管理センター部８１を出発する以前の所定の時間までに当該内装工事現場８３に到着している様にスケジュールを設定しておく事が望ましい。
【０１０６】
当該第１の搬送手段１３０と当該第２の搬送手段１３１の運行スケジュールは、当該内装工事現場の大きさ、作業員の人数、当該内装工事現場８３の所在地、道路状況、移動に要する予想時間、当該カーペットタイル製造業者或は未使用のカーペットタイル１１を保管している倉庫業者８２に於ける積み込み時間、積み下ろし時間、カーペットタイルの引き剥がし作業時間、カーペットタイルの施工作業時間等を総合して決定することが望ましい。
【０１０７】
又、本発明に於いては、当該通信回線９７を介して、当該内装工事の施工状態、積み込み、積降状態を勘案して、当該搬送手段の運行スケジュールを適宜変更する事も可能である。
【０１０８】
具体的には、当該第２の搬送手段１３１に所定の台車２と当該収納ケース４を積み込み、必要員数の作業員を同乗させて当該当該カーペットタイル搬送装置保管管理センター部８１から当該内装工事現場８３に出発させた時刻から、上記した当該使用済みカーペットタイル１１’を床から剥ぎ取る施工工事が終了する直前に当該第１の搬送手段１３０が当該内装工事現場８３に到着できる様に、当該第１の搬送手段１３０の運行スケジュールを決定する事が可能となる。
【０１０９】
本発明に於ける当該カーペットタイル搬送システム８０に於いては、基本的に一つの内装工事に関して、当該内装工事のサイズにもよるが、基本的には、少なくとも大型トラック１台と小型トラック１台とを運行させる事で施工工事が実行可能であるので、当該搬送手段１３０、１３１の配車手配、当該搬送手段の運転手の手配、作業員の数の決定、及び当該決定事項に基づき、必要な人件費、配送手段の使用料、燃料代等が算出されるが、本発明の場合では、従来の施工工事と比べて、何れも大幅に削減する事が可能となる。
【０１１０】
又、本発明に於いては、当該台車２と当該収納ケース４を含めて当該カーペットタイル搬送装置１は、移動が簡単で容易であり作業効率を格段に高めると共に、又複数回繰り返して使用する事が出来るので、材料費も大幅に節約する事が可能となる。
【０１１１】
更に詳しくは、本発明の当該カーペットタイル搬送装置１によって新規のカーペットタイルを運搬する時には、１６枚〜２０枚を一箱とした従来のケースに比べ箱の天板及び底面のダンボールで１２〜１４分の２、サイド面で６分の４の数量で同様の効果を挙げられる梱包が出来、コストダウンが可能になると同時に、梱包を大きくする事で保管、荷扱いの物流コストを引き下げることが可能となる。
【０１１２】
本発明に於いては、カーペットタイル１１の更新を含む改装工事現場８３には、予め先行作業分の空の収納ケース４を含む当該台車２が第２の搬送手段１３１で届けられる。
【０１１３】
当該改装工事現場８３では、先行作業で排出された既存の使用済みカーペットタイル１１’が整然と台車２に搭載されている空の当該収納ケース４に積載される。パワーゲート車到着と同時に、本発明の運搬用台車２に積載した新規のカーペッタイル１１を含む当該カーペットタイル収納ケース４を積降し、使用済みカーペットタイル１１’が整然と積まれた当該台車２に搭載されているカーペットタイル収納ケース４が整然と積み込まれる。
【０１１４】
かくして、物流で当該パワーゲート車は空のまま基地に戻ること無く、継続してほぼ同量の積載品を移送する移送作業に従事する事が可能となるので、物流コストを引き下げることが可能となる。
【０１１５】
更に、本発明で、当該台車２も当該収納ケース４も、当初は新規のカーペットタイル用に用い、その後、既存のカーペットタイルの収納用に用い、更に新規のカーペットタイルの製造工場が再資源化工場に近ければもう一度新規のカーペットタイルの収納用に用いる等、数度の使い回しをする事により、建設現場からの廃棄物発生を抑制し、あわせて大幅なコストダウンを実現できる。
【０１１６】
一方、本発明では、無意味な積み替え、積みなおし整理を極限まで減少させるシステムとカーペットタイル搬送装置を提案しており、それによって、従来に於ける様に、作業員としてアルバイトを使った乱雑な積み込みは安く上がるようでも結果的には積み替え、積みなおし整理を避ける事が出来ず、コストアップとなるが、本発明の様に、作業に従事する作業者(工場労働者もしくは改装工事の職人)に多少単価アップを認めても丁寧な作業と、種類の間違えようが無いカーペットタイル搬送装置１を用いたシステムを使用させる事により、一度の作業で整理整頓が実現する事が可能となる。
【０１１７】
以下に、本発明に係る当該カーペットタイル搬送システム８０の別の具体例を説明する。
例えば、本発明に係る当該カーペットタイル搬送システム８０に於いて、当該使用済みカーペットタイル及び新規カーペットタイルの必要数量を算出する場合には、例えば、改装工事の打診・現場調査・図面若しくは実測により面積とから所定の演算処理を行う事に算出する事も可能である。
【０１１８】
一方、本発明に於ける当該カーペットタイル搬送システム８０に於いて、未使用のカーペットタイル１１として、再生カーペットタイル１１を使用する場合がある。
【０１１９】
即ち、近年の地球環境保護のために、使用済みのカーペットタイルを再利用した再生カーペットタイル（エコ商品）が注目を集めているが、当該エコ商品は、現段階では、全て受注生産となっており、依頼者からのエコ商品の使用発注に基づいて生産を開始するものであるので、当該エコ商品の納入までには所定のリードタイムが必要になるが、一方では、受注生産に伴い、在庫負担を減らせる事からコストダウンにつながるという利点がある。
【０１２０】
従って、本発明に於ける当該カーペットタイル搬送システム８０に於いては、当該施工工事の受注に関連して、新規カーペットタイル１１の品種・色柄・エコ商品かどうかの要望を聞き、たとえば、エコ商品の使用が要望された場合には、当該システム管理センター９１のＰＣ端末から、再生カーペットタイルの製造者のＰＣ端末にアクセスして、再生カーペットタイルの製造工程の空き具合を調べて、当該エコ商品の納品のリードタイムを確認した後、改装工事の日取りを打ち合わせる事になる。
【０１２１】
その後、正式見積書提出、新規カーペットタイルの品種・色柄・エコ商品かどうか、改装工事の日取りを確認して内装工事契約が実行される。
【０１２２】
次いで、当該エコ商品を含むカーペットタイル１１の製造者のＰＣ端末にアクセスして、当該内装工事決定を通知し、当該製造者は確認事項に合わせて、確認された品種・色柄に合わせて新規カーペットタイルのカーペット層を手配し、当該タイルカーペット１１を当該製造業者或は当該カーペットタイル１１を保管する保管業者１２で所定の日時まで保管する。
【０１２３】
更に、本発明にあっては、当該改装工事現場８３で使用する新規カーペットタイル１１の製造或はその出荷に先立ち、当該カーペットタイル製造業者或は倉庫業者８２から指定された数量の当該カーペットタイル１１の出荷当日に手配できる搬送手段１３０が、ユニック車であるかパワーゲート車であるかを確認し、ユニック車である場合は、キャスター付き台車２はカーペットタイル収納ケース４と切り離して、又パワーゲート車である場合はキャスター付き台車２はカーペットタイル収納ケース４と係合して当該カーペットタイル製造業者或は倉庫業者８２まで搬送される事になる。
【０１２４】
更に、当該カーペットタイル１１の出荷日に手配できる搬送手段１３０がユニック車である場合は、カーペットタイル１１は収納ケース４に収められて、一つの収納ケース４毎に荷崩れ防止の為に梱包テープ１５で十字に結束して、キャスター付き台車２はカーペットタイル収納ケース４と係合してパレットに積まれ保管される。
【０１２５】
又、パワーゲート車である場合は、カーペットタイル１１は収納ケース４に収められて、荷崩れ防止の為に梱包テープ１５で十字に結束して、キャスター付き台車２はカーペットタイル収納ケース４と係合して一体化された状態のカーペットタイル搬送装置１として保管される。
【０１２６】
一方、当該改装工事現場８３の改装工事は、既存のカーペットタイル１１’を剥がし取る作業から始まる。
【０１２７】
その為に、例えば、当該内装工事現場８３に於いては、当該新規カーペットタイル１１の出荷日の前日の日常の業務が終了後(例えば６時ごろ)、当該改装工事現場８３の全ての什器に迷子札をつけ、場所の見取り図を作った後、当該什器の移動が行なわれる。
【０１２８】
その後、当該改装工事現場８３の既存カーペットタイル１１’は剥がし取られた後、予め当該第２の搬送手段１３１で当該内装工事現場８３に搬入された所定の数の台車２と同数の折りたたまれて保管されていたカーペットタイル収納ケース４を当該第２の搬送手段１３１から積降、当該カーペットタイル収納ケース４を組み立てると同時に、当該台車２と係合一体化させて所定数のカーペットタイル搬送装置１を形成する。
【０１２９】
当該カーペットタイル搬送装置１は、当該内装工事現場８３内で、所定の床面から剥ぎ取られた使用済みのカーペットタイル１１’の収集運搬用に用いられる。
【０１３０】
この場合でも、収納ケー４に収納される使用済みのカーペットタイル１１’は、後工程での二度手間を排するために、当該カーペットタイル収納ケース４内にきちんと整列させて積み込む事が必要である。
【０１３１】
本発明の台車２と係合された収納ケース４に収納された既存カーペットタイルは荷崩れ防止の為に梱包テープで十字に結束した後、台車２共々新規カーペットタイルを搬送してきた当該第１の搬送手段１３０に、当該新規カーペットタイル１１を搬送してきた当該カーペットタイル搬送装置１と入れ替えに積まれ、当該既存カーペットタイル１１’の剥離分離工場８４に運搬される。
【０１３２】
ユニック車の場合は、搬送車の荷台にパレットが残されているが、このパレットには本発明の台車２の４個の車輪が勘合する穴部があり４台の台車が安定して搬送できる仕組みが用意されている。
【０１３３】
本発明に於いては、上記した様に、改装工事現場８３の改装工事は既存のカーペットタイル１１’を剥がし取る作業を先行させる事により、新規カーペットタイル１１を搬送してきた第１の搬送手段１３０は帰り車になった時に空車で走る事が無くなりコストダウンになると同時に行きも帰りも空荷でないことにより走行車輌を減ずることにより環境に優しい運送を実現できる。
【０１３４】
本発明に於ける、当該産業廃棄物処理現場８４に於いては、当該産業廃棄物処理現場８４に運搬された既存カーペットタイル１１’を内蔵する当該カーペットタイル収納ケース４は、台車２と切り離され、当該カーペットタイル収納ケース４に内蔵されている当該既存カーペットタイル１１’を検品工程、洗浄工程、乾燥工程等を経て、剥離分離工程へと進み、カーペット層と塩化ビニル裏打ち層に分離され、当該カーペット層は、次の改装工事で再生カーペットタイル（エコ商品）として使用される場合の原材料として保管される。
【０１３５】
本発明に於ける当該カーペットタイル搬送システム８０に有っては、当該回収された本発明の台車２とカーペットタイル収納ケース４は、次の改装工事の準備の為に別々に保管される。
【０１３６】
特に、カーペットタイル収納ケース４は内側が当該カーペットタイルの運搬に際し、特に使用済みカーペットタイル１１’に接している場合には、汚れ付着が予想される。従って、ビニール張りされた内側若しくは内側を覆った着脱自在なビニールシートを清拭する事によって次の準備が完了させておく事が望ましい。
【０１３７】
即ち、本発明に係る当該カーペットタイル搬送システム８０にあっては、新規カーペットタイル１１と既存カーペットタイル１１’の運搬の為に台車２とカーペットタイル収納ケース４を複数回使いまわす事によって再利用を実行し、当該カーペットタイル１１の梱包費をコストダウンする事も可能となる。
【０１３８】
本発明に於ける更に別の態様としては、複数個の当該台車と複数個の当該カーペットタイル収納ケースとが、当該カーペットタイル搬送装置保管管理センター部に保管されており、適宜のカーペットタイル搬送システム制御部に於いて、受注したタイルカーペット張替え工事が実行される内装工事現場情報に基づいて床面から引き剥がす使用済みカーペットタイルの廃棄数量或いは未使用カーペットタイルの必要使用数量に関する情報が算出され、当該算出された当該使用済みカーペットタイルの廃棄数量或いは未使用カーペットタイルの必要使用数量に応答して、未使用カーペットタイルの必要使用数量が算出され、当該使用済みカーペットタイルの廃棄数量若しくは当該未使用カーペットタイルの必要使用数量に対応する当該台車と当該カーペットタイル収納ケースのそれぞれの必要数量が演算により決定され、当該決定された必要数量の当該台車と当該カーペットタイル収納ケースとが当該カーペットタイル搬送装置保管管理センター部から抽出され、当該必要数量に対応する数の当該台車と当該カーペットタイル収納ケースを相互に係合せしめて一体化するか、一体化することなしに、当該第２の搬送手段で当該内装工事現場に搬送して、当該内装工事現場に於いて当該台車と当該カーペットタイル収納ケースを係合せしめて一体化したカーペットタイル搬送装置を形成した後、当該カーペットタイル搬送装置を当該内装工事現場の当該使用済みカーペットタイルの引き剥がし作業現場に近接させた状態で移動させながら、所定の床面から引き剥がした当該使用済みカーペットタイルが順次当該カーペットタイル搬送装置の当該カーペットタイル収納ケース内に所定の数量ずつ積み込まれる操作が実行され、その後、当該カーペットタイル収納ケース内に当該使用済みカーペットタイルを積層内蔵させた当該カーペットタイル搬送装置は、当該第２の搬送手段とは異なる第１の搬送手段に搭載されて、当該使用済みカーペットタイルの産業廃棄物処理業者まで搬送される様に構成されと共に、当該第１の搬送手段が当該内装工事現場に搬送してきた当該台車と当該内装工事現場で新規のカーペットタイルを積み降ろして空になった当該カーペットタイル収納ケースとが当該第２の搬送手段に積載されて当該カーペットタイル搬送装置保管管理センター部に返送される様に構成されている事を特徴とするカーペットタイル搬送システムである。
【０１３９】
本発明に於ける更に他の態様としては、複数個の当該台車と複数個の当該カーペットタイル収納ケースとが、当該カーペットタイル搬送装置保管管理センター部に保管されており、適宜のカーペットタイル搬送システム制御部に於いて、受注したタイルカーペット張替え工事が実行される内装工事現場情報に基づいて床面から引き剥がす使用済みカーペットタイルの廃棄数量或いは未使用カーペットタイルの必要使用数量に関する情報が算出され、当該算出された当該使用済みカーペットタイルの廃棄数量或いは未使用カーペットタイルの必要使用数量に応答して、未使用カーペットタイルの必要使用数量が算出され、当該使用済みカーペットタイルの廃棄数量若しくは当該未使用カーペットタイルの必要使用数量に対応する当該台車と当該カーペットタイル収納ケースのそれぞれの必要数量が演算により決定され、当該決定された必要数量の当該台車と当該カーペットタイル収納ケースとが当該カーペットタイル搬送装置保管管理センター部から抽出され、当該抽出された当該台車と当該カーペットタイル収納ケースとを係合せしめて一体化して当該必要数量の当該カーペットタイル搬送装置を構成するか或は一体化せずに別々に当該必要数量の当該台車と当該カーペットタイル収納ケースとを、当該カーペットタイルの製造業者或いは未使用の当該カーペットタイルを保管している倉庫業者に所定の当該第２の搬送手段とは異なる第１の搬送手段で搬送し、当該カーペットタイルの製造業者或いは当該倉庫業者に於いて、当該台車と当該カーペットタイル収納ケースを係合せしめて一体化して当該カーペットタイル搬送装置を形成するか、一体化せずに当該複数個のカーペットタイル収納ケースのそれぞれに予め規定されている数の未使用のカーペットタイルを個別に積み込んだ後、当該カーペットタイル搬送装置を当該第１の搬送手段で当該内装工事現場に搬送し、当該内装工事現場に於いて、当該未使用の当該カーペットタイルを内蔵した当該カーペットタイル搬送装置を当該第１の搬送手段から積降し、或は、当該未使用の当該カーペットタイルを内蔵したカーペットタイル収納ケースを当該第１の搬送手段から積降した後、当該カーペットタイル収納ケースと当該台車とを一体化して該カーペットタイル搬送装置を形成し、次いで、当該カーペットタイル搬送装置を当該内装工事現場の当該未使用カーペットタイルの貼り付け作業現場に近接させた状態で移動させながら、当該カーペットタイル収納ケースのそれぞれから当該未使用の当該カーペットタイルを引き降ろしながら当該未使用の当該カーペットタイルを所定の床面に沿って順次に貼り付ける操作が実行され、一方、当該内装工事現場で当該使用済みカーペットタイルを内蔵する別のカーペットタイル搬送装置を、当該第１の搬送手段に積載した後、当該第１の搬送手段が当該産業廃棄物処理業者に搬送され、更には、当該内装工事現場に於いて、既に空となった当該カーペットタイル搬送装置は、そのまま或いは当該台車と当該収納ケースとに分離して当該第２の搬送手段に搭載されて当該カーペットタイル搬送装置保管管理センター部に搬送され、一方、当該産業廃棄物処理業者では、当該使用済みカーペットタイルを内蔵するカーペットタイル搬送装置を当該第１の搬送手段から積降し、所定の保管部署に保管させるか、適宜の産業廃棄物処理を実行し、当該産業廃棄物処理業者で既に空となった当該カーペットタイル搬送装置を当該第１の搬送手段に積載した後、当該第１の搬送手段を当該カーペットタイル搬送装置保管管理センター部に搬送して、当該空となっているカーペットタイル搬送装置を当該第１の搬送手段から積降す様に構成されている事を特徴とするカーペットタイル搬送システムである。
【図面の簡単な説明】
【０１４０】
【図１】図１（Ａ）は、本発明のカーペットタイル搬送装置の構造を説明する図であり、図１（Ｂ）は、本発明に使用される台車の構造を説明する図であり、図１（Ｃ）は、カーペットタイル収納ケースと台車との接合状態を説明する図であり、図１（Ｄ）は、本発明のカーペットタイル搬送装置にカーペットタイルが収納された状態を説明する図である。
【図２】図２（Ａ）及び図２（Ｂ）は、本発明のカーペットタイル搬送装置にカーペットタイルが収納された状態及びカーペットタイル収納ケースと台車との接合状態を説明する図である。
【図３】図３は、本発明のカーペットタイル搬送装置に使用される側壁部の折畳み状態を説明する図である。
【図４】図４は、本発明のカーペットタイル搬送装置に使用される収納ケースの別の使用態様を説明する図である。
【図５】図５は、本発明において使用される収納ケースの製造方法の一具体例を示す図である。
【図６】図６は、本発明に於けるカーペットタイル搬送システムの構成の一具体例を示すブロック図である。
【図７】図７は、本発明のカーペットタイル搬送システムの構成の概要を説明する図である。
【符号の説明】
【０１４１】
１：カーペットタイル搬送装置
２：台車
３：貨物搭載面
４：収納ケース
４’：別のカーペットタイル収納ケース
５：係合保持部材
６：底板部
７：第１の表面
８：第２の表面
９：係合具
１０：折畳み部
１１：カーペットタイル
１１’：使用済みのカーペットタイル
１５：ストラップ、紐等
１６：下部補助板
２０：台車の基板
２１：キャスター
４１：第１の側壁部
４２：第２の側壁部
４３：接合部
４４：側壁接合部材
４６：カーペットタイル収納ケース４の被覆部材
５１：フック状或は屈曲バネ板状部材
５２：他端部
５３：取り付け部材
５４：滑り止め部
５５：係合保持具
６１、６２：底板部の周縁部の連続する２辺
８０：カーペットタイル搬送システム
８１：カーペットタイル搬送装置保管管理センター部
８２：カーペットタイル製造業者或は未使用のカーペットタイル保管業者
８３：内装工事現場
８４：産業廃棄物処理現場
８５：使用済みのカーペットタイル１１の待機保管状態
８６：空の収納ケース４と台車２の待機保管状態
９０：第５の経路
９１：システム制御管理センター
９２：第１の経路
９３：第２の経路
９４：第３の経路
９５：第４の経路
９７：通信回線
９８、９８’： 着脱自在係合具
９９：開口部
１００、１０１：側壁部に対応する領域
１０２、１０３：底板部に対応する領域
１０７：内折り境界線
１０８：切断線
１２０：携帯端末
１２１：ＣＰＵ
１２２：記憶手段
１３０：第１の搬送手段
１３１：第２の搬送手段
【図１】
2010042772.tif 000003
【図２】
2010042772.tif 000004
【図３】
2010042772.tif 000005
【図４】
2010042772.tif 000006
【図５】
2010042772.tif 000007
【図６】
2010042772.tif 000008
【図７】
2010042772.tif 000009